(57)【要約】【課題】  指挿入部に挿入された指の左右方向の動きを抑制して指を確実に保持し、ネイルデザインを爪に綺麗に描画可能な描画装置を提供する。【解決手段】  描画装置は、指１２を挿入する指挿入部２３と、指挿入部２３内に配置され、指１２の動きを抑制する指保持部６０と、を備え、指保持部６０は指挿入部２３内の下側に配置される指押圧部６１Ｄと指挿入部２３内の左側面側に配置される指押圧部６１Ｌと指挿入部２３内の右側面側に配置される指押圧部６１Ｒとを有し、指保持部６０は、３つの指押圧部６１Ｄ，６１Ｌ，６１Ｒにより指１２の下側及び両側面側を押圧して指１２の動きを抑制する。【選択図】  図４
2017006570.tif 000002
【特許請求の範囲】
【請求項１】
描画対象面をなす爪を有する指が挿入される指挿入部と、
前記指挿入部内に配置され、前記指の動きを抑制する指保持部と、
を備え、
前記指挿入部は、前記指の前記爪がある領域を含む先端部の全体を露出させる開口部を有し、
前記指保持部は、
前記指挿入部内に挿入された前記指の、前記先端部の幅方向の一方側の側面と対向する位置に配置されて前記一方側の側面を押圧する第１指押圧部と、前記先端部の幅方向の他方側の側面と対向する位置に配置されて前記他方側の側面を押圧する第２指押圧部と、を有することを特徴とする描画装置。
【請求項２】
前記指保持部は、前記爪と反対側の下面における、前記爪がある領域より前記指の付け根側となる領域に対向する位置に配置されて、前記下面を押圧する第３指押圧部を有することを特徴とする請求項１に記載の描画装置。
【請求項３】
前記第１指押圧部、前記第２指押圧部及び前記第３指押圧部は、流体が供給されることによって膨らみ、供給された前記流体が排出されることにより萎む構造を有し、
前記流体が供給されて膨らんだときに前記指を押圧して前記指の動きを抑制し、前記流体が排出されて萎んだときに、前記押圧を解除して前記抑制を解除することを特徴とする請求項２に記載の描画装置。
【請求項４】
前記第１指押圧部、前記第２指押圧部及び前記第３指押圧部のいずれか一つの特定の指押圧部に、前記流体の供給及び排出を行うための流体給排部が設けられ、
前記第１指押圧部、前記第２指押圧部及び前記第３指押圧部から前記特定の指押圧部を除いた残りは、前記特定の指押圧部に流体流路で繋がっていることを特徴とする請求項１又は請求項２に記載の描画装置。
【請求項５】
前記特定の指押圧部は前記第３指押圧部であり、
前記第１指押圧部及び前記第２指押圧は、それぞれ前記第３指押圧部に対して前記流体流路が繋がっており、
前記流体流路には、折り曲げ部予定部が２箇所以上設けられており、
前記流体流路が前記折り曲げ部予定部で２回以上折り曲げられることで、前記第１指押圧部及び前記第２指押圧部が前記指挿入部内に配置されていることを特徴とする請求項３に記載の描画装置。
【請求項６】
前記第１指押圧部及び前記第２指押圧部は、前記指の前記一方及び他方側の側面を押圧したときに、前記指を斜め下方の方向に押圧する位置に設けられていることを特徴とする請求項１から請求項４のいずれか１項に記載の描画装置。
【発明の詳細な説明】
【技術分野】
【０００１】
本発明は、描画装置に関する。
【背景技術】
【０００２】
従来、指の爪にネイルデザインを描画する描画装置において、描画する爪の指を保持する技術が提案されている（例えば、特許文献１参照）。
【０００３】
特許文献１には、指をロックするためのホルダーを備えるネイルアート装置が開示される。ホルダーは、指を載置する作動部と、この作動部の動きに連動する一対の羽根状の支持部材とを備えており、使用者が作動部に指を載置し、作動部が下方に移動すると、一対の支持部材の間隔が狭まることにより、作動部に載置された指が一対の支持部材によって保持される。
【０００４】
しかしながら、特許文献１のホルダーにおいては、作動部や支持部材などを動作させて指を機械的に保持するものであるため、構造が複雑であり、また指を優しく保持する観点もない。
【先行技術文献】
【特許文献】
【０００５】
【特許文献１】特開２０００−１９４８３８号公報
【発明の概要】
【発明が解決しようとする課題】
【０００６】
そこで、指に柔らかく接触する部材として、指挿入部に挿入された指の腹側（下側）にクッションやばねを配置し、クッションやばねの反力を利用して、指の爪側（上側）の爪以外の部分を指挿入部の上壁に押し当てることにより、指の動きを抑制する構造が検討されている。しかしながら、この構造では、指がその左右方向に動き易く、ネイルデザインを爪に綺麗に描画できない場合がある。
【０００７】
本発明は、上記のような事情に鑑みなされたものであり、指挿入部に挿入された指の左右方向の動きを抑制して指を確実に保持し、ネイルデザインを爪に綺麗に描画可能な描画装置を提供することを目的とする。
【課題を解決するための手段】
【０００８】
本発明は、以下の構成によって把握される。
本発明の描画装置は、描画対象面をなす爪を有する指が挿入される指挿入部と、前記指挿入部内に配置され、前記指の動きを抑制する指保持部と、を備え、前記指挿入部は、前記指の前記爪がある領域を含む先端部の全体を露出させる開口部を有し、前記指保持部は、前記指挿入部内に挿入された前記指の、前記先端部の幅方向の一方側の側面と対向する位置に配置されて前記一方側の側面を押圧する第１指押圧部と、前記先端部の幅方向の他方側の側面と対向する位置に配置されて前記他方側の側面を押圧する第２指押圧部と、を有することを特徴とする。
【発明の効果】
【０００９】
本発明によれば、指挿入部に挿入された指の左右方向の動きを抑制して指を確実に保持し、ネイルデザインを爪に綺麗に描画可能な描画装置を提供することができる。
【図面の簡単な説明】
【００１０】
【図１】本発明の実施形態に係る描画装置の外観を示す斜視図である。
【図２】図１において筐体をＡ−Ａ線で切断してみた図である。
【図３】実施形態に係る第１指挿入部周辺の構造の平面図であって、指保持部が萎んだ状態を示す図である。
【図４】図３のＢ−Ｂ線断面図である。
【図５】実施形態に係る流体供排手段のブロック図である。
【図６】実施形態に係る第１指挿入部周辺の構造の平面図であって、指保持部が膨らんだ状態を示す図である。
【図７】図６のＣ−Ｃ線断面図である。
【図８】実施形態に係る指保持部の第１変形例を説明する図であって、指保持部の展開図である。
【図９】図８に示される指保持部を有する、第１指挿入部周辺の構造の平面図であって、指保持部が萎んだ状態を示す図である。
【図１０】図９のＤ−Ｄ線断面図である。
【図１１】実施形態に係る指保持部の第２変形例を説明する図であって、指保持部の展開図である。
【図１２】図１１のＥ矢視図であり、折り曲げ予定部における屈曲角度を説明する図である。
【発明を実施するための形態】
【００１１】
以下、添付図面を参照して、本発明を実施するための形態（以下、「実施形態」と称する）について詳細に説明する。なお、実施形態の説明の全体を通して同じ要素には同じ番号を付している。
【００１２】
また、以下の実施形態では、描画装置は手の指の爪の表面を描画対象面として、これに描画するものとして説明するが、本発明の描画対象面は手の指の爪の表面に限るものではなく、例えば足の指の爪の表面を描画対象面としてもよい。
【００１３】
（描画装置の全体構成）
本発明に係る描画装置の実施形態を、図１から図５に基づいて説明する。
図１に示すように、描画装置１０は、描画機能を備え、人の指１２の爪１１にネイルデザインを施す装置である。描画装置１０は、箱状の筐体２０を備え、この筐体２０の上面（天板）には、表示部２１や操作部２２が設けられる。また、筐体２０の正面部２０ａの下部中央には、第１指挿入部２３の挿入口２３ａが開口しており、さらに、この第１指挿入部２３の下側には、第２指挿入部２５の挿入口２５ａが開口している。この第２指挿入部２５は、筐体２０の正面部２０ａから、指１２の挿入方向の奥側に向けて形成されるとともに、１つの手の描画する指１２以外の指が挿入される空間であって、筐体２０の内部空間に対し仕切られた（連通していない）空間である。
【００１４】
図２に示すように、筐体２０内の下部には、指載置台２６が設けられ、指載置台２６の上面には、指保持ケース３０が設けられる。指保持ケース３０の内部空間は、第１指挿入部２３を形成するための空間であり、この空間には、指保持部６０が配置される。
【００１５】
筐体２０内には、固定板１７が装置幅方向及び装置奥行き方向に移動可能に設けられる。この固定板１７の左右一側（この例では左側）には、ペンプロッター部１３及びインクジェット部１５を有する描画部１４が固定され、左右他側（この例では右側）には、温風により爪１１に塗布されたインクを乾燥させるドライヤー５０が固定される。さらに、描画部１４とドライヤー５０の間には、爪１１の位置や形状を認識するための画像取得部１６が設けられる。なお、図２では、ペンプロッター部１３を指保持ケース３０の開口部３２（後述）の直上に移動させたときの装置の内部を示している。
【００１６】
ペンプロッター部１３は、爪１１に描画を施すペン１３ａを備え、装置幅方向及び装置奥行き方向に固定板１７と一体的に移動可能であり、かつ、ステッピングモータ等の駆動手段１３ｂにより昇降可能である。ペンプロッター部１３は、指保持ケース３０の開口部３２の直上に移動した後、爪１１の表面に接するように下降させたペン１３ａのペン先で、爪１１の表面に例えば下地を描画する。
【００１７】
インクジェット部１５は、インクジェットヘッド１５ａと、インクジェットカートリッジ１５ｂとを備え、爪１１に対してインクジェットヘッド１５ａによるネイルデザインの印刷を行う。インクジェット部１５は、装置幅方向及び装置奥行き方向に固定板１７と一体的に移動可能であり、指保持ケース３０の開口部３２の直上に移動し、爪１１の表面にインクジェットヘッド１５ａで所望のデザインを施す。
【００１８】
図３に示すように、指保持ケース３０は、指載置台２６（図２参照）に固定され、その内部には、指の動きを抑制する指保持部６０が設けられる。
【００１９】
指保持ケース３０は、指載置台２６（図２参照）の上面に固定される下壁３３と、この下壁３３の左右両端部それぞれから上方に形成される左右の側壁３６Ｌ，３６Ｒと、指挿入方向手前側（以下、単に「手前側」と称する）において左右の側壁３６Ｌ，３６Ｒの上端部を連結する上壁３７と、左右の側壁３６Ｌ，３６Ｒの指挿入方向奥側（以下、単に「奥側」と称する）の端部を連結する奥壁３８と、奥壁３８の内面に沿って立設され、爪１１の先端側の爪先部１１ａを載せる爪置き台４１とを有する。さらに、指保持ケース３０の奥側の上部には、挿入された指１２の爪１１がある領域を含む先端部の全体を上方に露出させる開口部３２が形成されている。図３では、指保持ケース３０の第１指挿入部２３に挿入された指１２の爪１１が、開口部３２を通じて上方から見えている状態を示している。
【００２０】
図４に示すように、下壁３３は、その手前側の内面に下方に凹む下側格納部３３ａを有する。この下側格納部３３ａの中央部には、貫通穴３３ｂが設けられている。各側壁３６Ｌ，３６Ｒは、その奥側の内面に側方に凹む側面格納部３６ａを有する。この側面格納部３６ａの中央部には、貫通穴３６ｂが設けられている。
【００２１】
指保持部６０は、第１指挿入部２３内の下側に配置される指押圧部（以下、下側指押圧部６１Ｄ（第３指押圧部）と称する）と第１指挿入部２３内の左側面側に配置される指押圧部（以下、左側指押圧部６１Ｌ（第１指押圧部若しくは第２指押圧部）と称する）と、第１指挿入部２３内の右側面側に配置される指押圧部（以下、右側指押圧部６１Ｒ（第２指押圧部若しくは第１指押圧部）と称する（図３参照））とを有する。
指保持部６０は、３つの指押圧部（下側指押圧部６１Ｄ、左側指押圧部６１Ｌ及び右側指押圧部６１Ｒ）に、例えば空気、不活性ガス等の流体を供給することで指１２の下側及び両側面側を押圧して指１２の動きを抑制する一方、供給された流体を排出することで押圧の解除ができる。
【００２２】
（指保持部の構成）
以下、指保持部６０の各部の構成及び指保持部６０に流体を供給・排気する流体給排手段７０の構成を説明する。
【００２３】
図４に示すように、下側指押圧部６１Ｄは、シートを袋状に形成したものであり、例えば、外形が四角形状に形成される。下側指押圧部６１Ｄは、指挿入方向において、その奥側の端部６１Ｄ１が開口部３２の手前の縁部３２ａよりも奥側に位置し、手前側の端部６１Ｄ２が指保持ケース３０の手前側の開放部４２付近に位置している。下側指押圧部６１Ｄの下側には、管状の流体給排部６２が設けられる。下側指押圧部６１Ｄは、使用しないときは（膨らむ前の萎んだ扁平な状態では）、下側格納部３３ａに格納されており、流体給排部６２を囲うように配置される接着部材６３（例えば、両面テープ）により、下側格納部３３ａに接着されている。この下側指押圧部６１Ｄの流体給排部６２は、下側格納部３３ａの貫通穴３３ｂに差し込まれており、流体給排部６２には、流体給排手段７０（後述）に接続されたチューブ６５が接続される。
【００２４】
図３に戻る。図３に示すように、左側指押圧部６１Ｌ及び右側指押圧部６１Ｒは、それぞれ、シートを袋状に形成したものであり、例えば、外形が四角形状に形成される。左側指押圧部６１Ｌ及び右側指押圧部６１Ｒは、指挿入方向において、その奥側の端部６１Ｌ１，６１Ｒ１が奥壁３８付近に位置し、手前側の端部６１Ｌ２，６１Ｒ２が平面視で下側指押圧部６１Ｄの奥側の端部付近に位置している。左側指押圧部６１Ｌ及び右側指押圧部６１Ｒの外側の側面には、管状の流体給排部６２が設けられる。左側指押圧部６１Ｌ及び右側指押圧部６１Ｒは、使用しないときは（膨らむ前の萎んだ扁平な状態では）、左右の側面格納部３６ａに格納されており、流体給排部６２を囲うように配置される接着部材６３（例えば、両面テープ）により、側面格納部３６ａに接着されている。左側指押圧部６１Ｌ及び右側指押圧部６１Ｒの流体給排部６２は、側面格納部３６ａの貫通穴３６ｂに差し込まれており、流体給排手段７０に接続されたチューブ６５が接続される。
【００２５】
さらに、図４に示すように、側面格納部３６ａが側壁３６Ｌ，３６Ｒの上部寄りに配置されることにより、左側指押圧部６１Ｌ及び右側指押圧部６１Ｒは、その中央部分が第１指挿入部２３内の上下方向幅Ｗの半部よりも上側に位置している。すなわち、左側指押圧部６１Ｌ及び右側指押圧部６１Ｒは、その上下方向の中央位置Ｃ１が第１指挿入部２３の上下方向の中央位置Ｃ２よりも上側に位置している。
【００２６】
そして、このように構成される左側指押圧部６１Ｌ及び右側指押圧部６１Ｒは、その少なくとも奥側に位置する部分が下側指押圧部６１Ｄよりも奥側に位置している。この例では、左側指押圧部６１Ｌ及び右側指押圧部６１Ｒは、その全体又は略全体が下側指押圧部６１Ｄよりも奥側に配置されている。
【００２７】
なお、下側指押圧部６１Ｄ、左側指押圧部６１Ｌ及び右側指押圧部６１Ｒの構成材料には、例えば、ポリウレタン、ナイロンなどの各種の樹脂材料を用いることができ、また、伸縮性のあるニトリルゴム、プロピレンゴム、シリコーンゴム、天然ゴムなどのゴム系材料を用いることもできる。また、下側指押圧部６１Ｄ、左側指押圧部６１Ｌ及び右側指押圧部６１Ｒの表面を、伸縮性を有する布などで覆うことにより、指１２が下側指押圧部６１Ｄ、左側指押圧部６１Ｌ及び右側指押圧部６１Ｒの表面と接触したときの肌触りがよくなる。
【００２８】
図５に示すように、流体給排手段７０は、指保持部６０（下側指押圧部６１Ｄ、左側指押圧部６１Ｌ及び右側指押圧部６１Ｒ）に流体を送り込んで膨らませるためのポンプ７１（例えば、エアーポンプ）と、指保持部６０内の気圧を測定するための圧力センサ７２と、指保持部６０を膨らませるときは閉じ、萎ませるときは開いて排気するパージバルブ７３（例えば、電磁弁）と、指保持部６０とポンプ７１の間に接続されて下側指押圧部６１Ｄ、左側指押圧部６１Ｌ及び右側指押圧部６１Ｒに向けて流路を分岐させるマニホールド部７５と、を有する。
【００２９】
なお、本実施形態では、マニホールド部７５を用いることで、指保持部６０（下側指押圧部６１Ｄ、左側指押圧部６１Ｌ及び右側指押圧部６１Ｒ）への流体給排手段７０を共通化させているが、ポンプ７１、パージバルブ７３、及び圧力センサ７２を有する流体給排手段７０を３つ用意し、下側指押圧部６１Ｄ、左側指押圧部６１Ｌ及び右側指押圧部６１Ｒのそれぞれ用に流体給排手段７０を設けるようにしてもよい。
【００３０】
（指保持部の動作）
続いて、指保持部６０の動作を図６、図７に基づいて説明する。
図６及び図７に示すように、指１２が第１指挿入部２３に挿入され、爪先部１１ａが爪置き台４１に載置された状態において、まず、パージバルブ７３（図５参照）に通電してパージバルブ７３を閉じる。次に、ポンプ７１（図５参照）に通電し、同時に圧力センサ７２（図５参照）で圧力を計測しながら、流体をマニホールド部７５（図５参照）及びチューブ６５を介して下側指押圧部６１Ｄ、左側指押圧部６１Ｌ及び右側指押圧部６１Ｒに送り込み、下側指押圧部６１Ｄ、左側指押圧部６１Ｌ及び右側指押圧部６１Ｒの内部を加圧して所望の圧力に達するまで膨らませる。所望の圧力になったらポンプ７１を停止し、また、所望の圧力以下に低下したら、再度ポンプ７１を駆動して所望の圧力まで流体を送り込むことにより、下側指押圧部６１Ｄ、左側指押圧部６１Ｌ及び右側指押圧部６１Ｒを所望の圧力で、概ね一定に膨らむように維持する。
【００３１】
下側指押圧部６１Ｄは、所望の圧力で一定に膨らむことにより、指１２の下側の根元側部分を押し上げるように押圧し、指１２の上側の爪１１以外の部分を上壁３７の内面に押し付けて指１２の上下方向の動きを抑制する（図７参照）。一方、左側指押圧部６１Ｌ及び右側指押圧部６１Ｒは、所望の圧力で概ね一定に膨らむことにより、指１２の先端側の左右両側面に接触し、指１２の先端側を左右両側から挟むようにして押圧し、指１２の左右方向の動きを抑制する（図６参照）。
【００３２】
このとき、左側指押圧部６１Ｌ及び右側指押圧部６１Ｒは、その上下方向の中央位置Ｃ１が第１指挿入部２３の上下方向の中央位置Ｃ２よりも上側に位置しているため、指１２の先端側の左右両側面において、指１２の上下方向中央位置よりも、指１２の上側を押さえるため、指１２の先端側は、斜め下方の向きに押されるように押圧される。これにより、爪１１が上向きに押されて、開口部３２よりも上方に飛び出してしまうことが防止される。
【００３３】
このように、指が下側指押圧部６１Ｄ、左側指押圧部６１Ｌ及び右側指押圧部６１Ｒによって、上下方向及び左右方向の動きが抑制され、第１指挿入部２３内にしっかりと保持された状態において、開口部３２を通じてペンプロッター部１３又はインクジェット部１５により爪１１にネイルデザインが描画される。
【００３４】
爪１１へのネイルデザインの描画が完了し、下側指押圧部６１Ｄ、左側指押圧部６１Ｌ及び右側指押圧部６１Ｒを萎ませるときは、パージバルブ７３の通電を切るだけでよく、これによりパージバルブ７３が開き、下側指押圧部６１Ｄ、左側指押圧部６１Ｌ及び右側指押圧部６１Ｒのそれぞれの復元力により、元の扁平な形状に萎んで戻り、下側格納部３３ａと左右の側面格納部３６ａに格納される。そして、指１２への押圧の解除がされる。
【００３５】
（実施形態の効果）
以上、説明した実施形態によれば、第１指挿入部２３に挿入された指１２の上下方向及び左右方向の動きを抑制して指１２を確実に保持し、ネイルデザインを爪１１に綺麗に描画することができる。
【００３６】
また、実施形態では、左側指押圧部６１Ｌ及び右側指押圧部６１Ｒを第１指挿入部２３の奥側に寄せて配置し、下側指押圧部６１Ｄを第１指挿入部２３の手前側に寄せて配置した。仮に、下側指押圧部が指の先端側の下（爪１１の真下）まで延在していると、下側指押圧部により指１２の先端側が上方に持ち上げられてしまい、ペン１３ａ等と爪１１とが接触するおそれがある。この点、実施形態では、下側指押圧部６１Ｄを第１指挿入部２３の手前側に寄せて配置したので、指１２の先端側が上方に持ち上げられて、ペン１３ａやインクジェットヘッド１５ａ、インクジェットカートリッジ１５ｂと爪１１とが接触してしまうことを防止することができる。
【００３７】
一方で、左側指押圧部６１Ｌ及び右側指押圧部６１Ｒについては、下側指押圧部６１Ｄよりも奥側に位置させ、指１２の先端側の左右への動きを安定して抑制するようにしている。本実施形態では、左側指押圧部６１Ｌ及び右側指押圧部６１Ｒのほぼ全体を下側指押圧部６１Ｄよりも奥側に位置させているが、左側指押圧部６１Ｌ及び右側指押圧部６１Ｒの奥側に位置する部分を、少なくとも下側指押圧部６１Ｄよりも奥側に位置させることで、指１２の先端側の左右への動きを安定して抑制することができる。
【００３８】
さらに、実施形態では、左側指押圧部６１Ｌ及び右側指押圧部６１Ｒを、その上下方向の中央位置Ｃ１が第１指挿入部２３の上下方向の中央位置Ｃ２よりも上側になるように配置した。これに対し、左側指押圧部及び右側指押圧部を指挿入部の上下方向の中央位置よりも下側に配置した場合、左側指押圧部及び右側指押圧部が膨らんだときに指を上方に押し上げることが懸念され、その場合、爪を所望の高さ位置に保持できないだけでなく、ペン等と爪とが接触してしまうおそれがある。この点、実施形態では、左側指押圧部６１Ｌ及び右側指押圧部６１Ｒの上下方向の中央位置Ｃ１が指１２の上下方向の中央位置よりも上側を押圧するため、指１２が真横あるいは下方に押圧され、指１２が持ち上げられて爪１１がペン１３ａ等に接触してしまうことをさらに防止することができる。
【００３９】
また、指保持部６０が、流体で膨らむ下側指押圧部６１Ｄ、左側指押圧部６１Ｌ及び右側指押圧部６１Ｒによって指１２を保持するものであるため、作動部や支持部材などを動作させて指を機械的に保持する従来のホルダーに比べ、指１２の形にフィットし、優しくかつ確実に指１２を保持できる指保持構造が得られる。また、従来のホルダーに比べ、安価かつ簡単な構成であるとともに小型化が図れ、しかも、実装が容易な指保持構造を得ることができる。
【００４０】
（指保持部の変形例）
続いて、実施形態に係る指保持部の第１変形例を図８から図１０に基づいて説明する。
【００４１】
前述した指保持部６０（図３参照）では、個別に形成された３つの指押圧部（下側指押圧部６１Ｄ、左側指押圧部６１Ｌ及び右側指押圧部６１Ｒ）のそれぞれに流体給排部６２を独立して設け、各流体給排部６２をチューブ６５で流体給排手段７０に接続する構成を示したが、この他、指保持部は、下側指押圧部、左側指押圧部及び右側指押圧部のうちいずれか一つに流体給排部を設け、流体給排部が設けられていない残り２つの指押圧部を、流体給排部が設けられている指押圧部に、流体流路で繋げた構成でもよい。
【００４２】
図８は、指保持部の第１変形例を説明する図であり、全体が扁平状に展開された状態の指保持部を示している。図８に示すように、例えば、この第１変形例では、下側指押圧部６１Ｄの奥側の端部６１Ｄ１に、連結部８１Ｌ，８１Ｒ（流体流路）を介して左側指押圧部６１Ｌ及び右側指押圧部６１Ｒを連結し、一体型の指保持部８０を形成する。そして、流体の供給及び排出を行うための流体給排部６２は、下側指押圧部６１Ｄのみに設ける。
【００４３】
左側の連結部８１Ｌは、下側指押圧部６１Ｄの奥側の端部６１Ｄ１の左寄りから奥行き方向に形成される第１の部分８１Ｌ１と、この第１の部分８１Ｌ１から左側方に直角に屈曲して左側指押圧部６１Ｌに接続される第２の部分８１Ｌ２とからなる。また、右側の連結部８１Ｒは、下側指押圧部６１Ｄの奥側の端部６１Ｄ１の右寄りから奥行き方向に形成される第１の部分８１Ｒ１と、この第１の部分８１Ｒ１から右側方に直角に屈曲して右側指押圧部６１Ｒに接続される第２の部分８１Ｒ２とからなる。各連結部８１Ｌ，８１Ｒには、第２の部分８１Ｌ２，８１Ｒ２を直角に折り曲げて左側指押圧部６１Ｌ及び右側指押圧部６１Ｒをそれぞれ起立させる折り曲げ予定部８２が設定される。
【００４４】
図９及び図１０に示すように、下側指押圧部６１Ｄに対して直角に起立した左側指押圧部６１Ｌ及び右側指押圧部６１Ｒは、それぞれ、側面格納部３６ａに格納され、下側指押圧部６１Ｄは、下側格納部３３ａに格納される。また、各連結部８１Ｌ，８１Ｒは、下側格納部３３ａの奥側の端部からさらに奥方に延在する奥側格納部８３に格納される。なお、下側格納部３３ａ、左側指押圧部６１Ｌ及び右側指押圧部６１Ｒは、前述した指保持部６０（図３参照）と同様に、接着部材６３（例えば、両面テープ）により、指保持ケース３０の内側に固定されている。
なお、図９及び図１０に示すように、第１変形例では、図３に示す側面格納部３６ａの貫通穴３６ｂなどを不要とすることができる。
【００４５】
この第１変形例では、流体給排部６２を介して下側指押圧部６１Ｄに送り込まれた流体が、各連結部８１Ｌ，８１Ｒを介して左側指押圧部６１Ｌ及び右側指押圧部６１Ｒに送り込まれることにより、下側指押圧部６１Ｄ、左側指押圧部６１Ｌ及び右側指押圧部６１Ｒのそれぞれが所望の圧力に達するまで膨らむ。指１２は、膨らんだ下側指押圧部６１Ｄ、左側指押圧部６１Ｌ及び右側指押圧部６１Ｒによって、その上下方向及び左右方向の動きが抑制され、確実に保持された状態で、爪１１へのネイルデザインの描画が行われる。したがって、指保持部８０においても、前述した指保持部６０（図３参照）と同様の効果を得ることができる。
【００４６】
加えて、この第１変形例では、左側指押圧部６１Ｌ及び右側指押圧部６１Ｒが連結部８１Ｌ，８１Ｒを介して下側指押圧部６１Ｄに連結された一体型の指保持部８０を採用したので、下側指押圧部６１Ｄと流体給排手段７０とを１本のチューブで繋ぐだけでよい。このため、左側指押圧部６１Ｌ及び右側指押圧部６１Ｒに流体給排部を設けたり、左側指押圧部６１Ｌ及び右側指押圧部６１Ｒをチューブで流体給排手段７０に繋いだりする必要がない。したがって、組立てが簡単で、より安価で小型化な指保持部８０を実現することができる。
【００４７】
次に、実施形態に係る指保持部の第２変形例を図１１、図１２に基づいて説明する。
【００４８】
図１１は、指保持部の第２変形例を説明する図であり、全体が扁平状に展開された状態の指保持部を示している。図１１に示すように、この第２変形例においても、前述した第１変形例と同様に、下側指押圧部６１Ｄの奥側の端部６１Ｄ１に、連結部９１Ｌ，９１Ｒ（流体流路）を介して左側指押圧部６１Ｌ及び右側指押圧部６１Ｒを連結し、一体型の指保持部９０を形成する。そして、流体の供給及び排出を行うための流体給排部６２は、下側指押圧部６１Ｄのみに設ける。
【００４９】
左側の連結部９１Ｌは、下側指押圧部６１Ｄの奥側の端部６１Ｄ１の左寄りから奥行き方向に形成される第１の部分９１Ｌ１と、この第１の部分９１Ｌ１から第１の部分９１Ｌ１の延在方向に対して斜め側方に屈曲して左側指押圧部６１Ｌに接続される第２の部分９１Ｌ２とからなる。また、右側の連結部９１Ｒは、下側指押圧部６１Ｄの奥側の端部６１Ｄ１の右寄りから奥行き方向に形成される第１の部分９１Ｒ１と、この第１の部分９１Ｒ１から第１の部分９１Ｒ１の延在方向に対して斜め右側方に屈曲して右側指押圧部６１Ｒに接続される第２の部分９１Ｒ２とからなる。
【００５０】
各連結部９１Ｌ，９１Ｒにおいては、左側指押圧部６１Ｌ及び右側指押圧部６１Ｒをそれぞれ起立させるための折り曲げ予定部９２が２箇所以上設定されている。この例では、連結部９１Ｌ，９１Ｒのそれぞれにおいて、第１の部分９１Ｌ１，９１Ｒ１の途中箇所及び第２の部分９１Ｌ２，９１Ｒ２の途中箇所の合計２箇所に折り曲げ予定部９２が設けられる。
【００５１】
そして、指保持部９０では、左側指押圧部６１Ｌ及び右側指押圧部６１Ｒが下側指押圧部６１Ｄに対して垂直に起立するように（第１指挿入部２３の奥側の左側面側及び右側面側に配置可能となるように）までに、連結部９１Ｌ，９１Ｒを２箇所の折り曲げ予定部９２にてそれぞれ２回に分けて折り曲げる。これにより、各折り曲げ予定部９２における折れ曲がり角度θ１（図１２参照）が緩やかになる。このため、膨らんだ左側指押圧部６１Ｌ及び右側指押圧部６１Ｒから流体を排出する際、緩やかな角度で屈曲した連結部９１Ｌ，９１Ｒを流体が通るようになる。
【００５２】
これに対して、例えば、前述した指保持部８０（図８参照）では、連結部８１Ｌ，８１Ｒにおいて折り曲げ予定部８２の折れ曲がり角が直角になるため、指保持部８０の構成や流体の種類などによっては、流体が連結部８１Ｌ，８１Ｒを通じて排出されにくい場合がある。
【００５３】
この点、第２変形例では、緩やかな角度で屈曲した連結部９１Ｌ，９１Ｒを流体が通るため、左側指押圧部６１Ｌ及び右側指押圧部６１Ｒから流体を良好にかつ速やかに排出することができる。なお、折り曲げ予定部９２において緩やかに屈曲する連結部９１Ｌ，９１Ｒの屈曲角度θ（図１２参照）は、１３５°以上が好適である。
【００５４】
以下に、この出願の願書に最初に添付した特許請求の範囲に記載した発明を付記する。付記に記載した請求項の項番は、この出願の願書に最初に添付した特許請求の範囲の通りである。
＜請求項１＞
描画対象面をなす爪を有する指が挿入される指挿入部と、
前記指挿入部内に配置され、前記指の動きを抑制する指保持部と、
を備え、
前記指挿入部は、前記指の前記爪がある領域を含む先端部の全体を露出させる開口部を有し、
前記指保持部は、
前記指挿入部内に挿入された前記指の、前記先端部の幅方向の一方側の側面と対向する位置に配置されて前記一方側の側面を押圧する第１指押圧部と、前記先端部の幅方向の他方側の側面と対向する位置に配置されて前記他方側の側面を押圧する第２指押圧部と、を有することを特徴とする描画装置。
＜請求項２＞
前記指保持部は、前記爪と反対側の下面における、前記爪がある領域より前記指の付け根側となる領域に対向する位置に配置されて、前記下面を押圧する第３指押圧部を有することを特徴とする請求項１に記載の描画装置。
＜請求項３＞
前記第１指押圧部、前記第２指押圧部及び前記第３指押圧部は、流体が供給されることによって膨らみ、供給された前記流体が排出されることにより萎む構造を有し、
前記流体が供給されて膨らんだときに前記指を押圧して前記指の動きを抑制し、前記流体が排出されて萎んだときに、前記押圧を解除して前記抑制を解除することを特徴とする請求項２に記載の描画装置。
＜請求項４＞
前記第１指押圧部、前記第２指押圧部及び前記第３指押圧部のいずれか一つの特定の指押圧部に、前記流体の供給及び排出を行うための流体給排部が設けられ、
前記第１指押圧部、前記第２指押圧部及び前記第３指押圧部から前記特定の指押圧部を除いた残りは、前記特定の指押圧部に流体流路で繋がっていることを特徴とする請求項１又は請求項２に記載の描画装置。
＜請求項５＞
前記特定の指押圧部は前記第３指押圧部であり、
前記第１指押圧部及び前記第２指押圧は、それぞれ前記第３指押圧部に対して前記流体流路が繋がっており、
前記流体流路には、折り曲げ部予定部が２箇所以上設けられており、
前記流体流路が前記折り曲げ部予定部で２回以上折り曲げられることで、前記第１指押圧部及び前記第２指押圧部が前記指挿入部内に配置されていることを特徴とする請求項３に記載の描画装置。
＜請求項６＞
前記第１指押圧部及び前記第２指押圧部は、前記指の前記一方及び他方側の側面を押圧したときに、前記指を斜め下方の方向に押圧する位置に設けられていることを特徴とする請求項１から請求項４のいずれか１項に記載の描画装置。
【符号の説明】
【００５５】
１０      描画装置
１１      爪
１２      指
２３      第１指挿入部
２３ａ    挿入口
４１      爪置き台
６０      指保持部
６１Ｄ    下側指押圧部
６１Ｌ    左側指押圧部
６１Ｒ    右側指押圧部
６２      流体給排部
８０      指保持部
８１Ｌ    連結部（流体流路）
８１Ｒ    連結部（流体流路）
８２      折り曲げ予定部
９０      指保持部
９１Ｌ    連結部（流体流路）
９１Ｒ    連結部（流体流路）
９２      折り曲げ予定部
Ｗ        第１指挿入部内の上下方向幅
【図１】
2017006570.tif 000003
【図２】
2017006570.tif 000004
【図３】
2017006570.tif 000005
【図４】
2017006570.tif 000006
【図５】
2017006570.tif 000007
【図６】
2017006570.tif 000008
【図７】
2017006570.tif 000009
【図８】
2017006570.tif 000010
【図９】
2017006570.tif 000011
【図１０】
2017006570.tif 000012
【図１１】
2017006570.tif 000013
【図１２】
2017006570.tif 000014